(57)【要約】【課題】  従来の装身用サポータ類においては治療目的だけに重点が置かれ、ユーザーの日常生活での装着の利便性、快適性が二次的なものとなっており、装着によって発生する日常生活の不具合は、ユーザーにとって装着の利便性、快適性よりも大きな負担になっている。【解決手段】  平面形状が略Ｘ字状の生分解型フレキシブル合成樹脂製保持部材及び該生分解型フレキシブル合成樹脂製保持部材の両サイドにＩ字状の生分解型フレキシブル合成樹脂製サイドリブの一方の面に凹部を形成し、該凹部に変形温度が３０〜４０℃の超弾性形状記憶合金バーを嵌挿し、装身用布材に当接される該生分解型フレキシブル合成樹脂製保持部材及び生分解型フレキシブル合成樹脂製サイドリブのフランジ部を装身用布材に高周波融着してなる装身用サポータを提供する。【選択図】      図２
2005028089.tif 000002
【特許請求の範囲】
【請求項１】
平面形状が略Ｘ字状の生分解型フレキシブル合成樹脂製保持部材及び該生分解型フレキシブル合成樹脂製保持部材の両サイドにＩ字状の生分解型フレキシブル合成樹脂製サイドリブの一方の面に凹部を形成し、該凹部に変形温度が３０〜４０℃の超弾性形状記憶合金バーを嵌挿し、装身用布材に当接される該生分解型フレキシブル合成樹脂製保持部材及び生分解型フレキシブル合成樹脂製サイドリブのフランジ部を装身用布材に高周波融着してなることを特徴とする装身用サポータ。
【請求項２】
生分解型フレキシブル合成樹脂製保持部材及び生分解型フレキシブル合成樹脂製サイドリブの凹部と該凹部に嵌挿される超弾性形状記憶合金バーとの間にはクリアランスがあるように構成されていることを特徴とする請求項１に記載の装身用サポータ。
【請求項３】
装身用布材がナイロン及びポリウレタン素材からなる伸縮性繊維のメッシュ生地で構成されていることを特徴とする請求項１に記載の装身用サポータ。
【請求項４】
生分解型フレキシブル合成樹脂製保持部材及び生分解型フレキシブル合成樹脂製サイドリブが、グリコール及びジカルボン酸からなる脂肪酸ポリエステルで構成されていることを特徴とする請求項１に記載の装身用サポータ。
【請求項５】
装身用布材の外側両端部には面ファスナー受け面が形成されており、一端の内側には面ファスナーが形成されており、補助弾性帯には装身用布材の背面のセンター縫合部にセンター部が縫合されており、両端部内側に面ファスナーを備え、装身用布材の締め付け力を再調製できるように構成されていることを特徴とする請求項１に記載の装身用サポータ。
【請求項６】
補助弾性帯が、ポリノジック、ナイロン、ポリウレタン、ポリエステル等の各成分の混合物からなるモノフィラメッシュゴムで構成されていることを特徴とする請求項１に記載の装身用サポータ。
【請求項７】
超弾性形状記憶合金バーの形状が丸棒又は扁平状の形状からなることを特徴とする請求項１に記載装身用サポータ。
【発明の詳細な説明】
【技術分野】
【０００１】  本発明は装身用サポータに関し、特にユーザーの腰痛からの開放、日常生活での装着の利便性、快適性を目的とした装身用サポータに関するものである。
【背景技術】
【０００２】  従来、腰痛対策として様々な手術、治療法、代替治療、治療器具等が考案されているが、治療器具の殆どが腰部の固定、支持を中心としており、腰部を圧迫し腹圧を上げて固定し、腰痛の軽減、予防を図ろうとするものであった。
【発明の開示】
【０００３】  実開平２−１０４２２８号公報
【発明が解決しようとする課題】
【０００４】  前記せる実開平２−１０４２２８号公報に開示されている布製装身品の弾性芯材としては、鋼線を一方向に蜜に巻き、かつ外形を扁平棒状に形成した芯材本体の内部に、その軸線方向の全長にわたって形状記憶合金からなる芯金を内設してなり、衣料類等の保型が必要な部分に取り付けられる布製装身品の弾性芯材であり、形状記憶合金からなる芯金を合成樹脂材によって包み込み、芯金と芯材本体との隙間を埋めてなるものであり、また、従来のこの種の矯正サポート用の支持部骨組みは、ほぼ長方形で左右平行に、脊椎を中心にして独立配置となっていたが、前記せるような従来のものは、治療目的だけに重点を置き、ユーザーの日常生活での装着の利便性、快適性が二次的なものとなっており、装着によって発生する日常生活の不具合は、ユーザーにとって装着の利便性、快適性よりも大きな負担になっている。
【０００５】  ユーザーは従来の治療装具の装着時に於いて下記のような不満を持っている。
即ち、仕事をする場合、嵩張ってしまうので作業に支障が生ずる。装着して外出する場合も嵩張るので好きな洋服でオシャレができない。夏など暑いときには、汗をかいたり、とても暑く、あせも等ができてしまうので装着できない。金属製の骨組みが腰や背中に当たってしまうので痛くて装着するのがつらい。スポーツタイプのものは高価で、大げさになる。小・中・高校生でも腰痛患者がいるが学校につけていくのが恥ずかしい。出産前の保護の腹帯、産後の体形の補正・矯正のために妊娠時や出産後にもつけたいけれども良いものがない。外出の途中で外したくても簡単に外せないし、嵩張ってしまうので持ち運びに困る。固定する時間が長くて、かえって筋力が落ちてしまい悪化する場合がある。腰痛で悩む若い男女もいるが、装着が嵩張るので、デートしかり食事するのも気が引ける。ベルト装着すると大げさな病人みたいに感じてしまう。等々の不具合がある。また、既存のプロテクターでは分厚いアルミプレートを袋状に縫製したサポータ生地に取り付けてあるので、装着時に適度に締め付けても、装着後に締め付け力の調整が容易にできるものではなかった。
【課題を解決するための手段】
【０００６】  本発明は前期せるような従来の課題を解決するために鋭意研究した結果、本発明を創案したものであり、平面形状が略Ｘ字状の生分解型フレキシブル合成樹脂製保持部材及び該生分解型フレキシブル合成樹脂製保持部材の両サイドにＩ字状の生分解型フレキシブル合成樹脂製サイドリブの一方の面に凹部を形成し、該凹部に変形温度が３０〜４０℃の超弾性形状記憶合金バーを嵌挿し、装身用布材に当接される該生分解型フレキシブル合成樹脂製保持部材及び生分解型フレキシブル合成樹脂製サイドリブのフランジ部を装身用布材に高周波融着してなることを特徴とし、生分解型フレキシブル合成樹脂製保持部材及び生分解型フレキシブル合成樹脂製サイドリブの凹部と該凹部に嵌挿される超弾性形状記憶合金バーとの間にはクリアランスがあるように構成されていることを特徴とし、装身用布材がナイロン及びポリウレタン素材からなる伸縮性繊維のメッシュ生地で構成されていることを特徴とし、生分解型フレキシブル合成樹脂製保持部材及び生分解型フレキシブル合成樹脂製サイドリブが、グリコール及びジカルボン酸からなる脂肪酸ポリエステルで構成されていることを特徴とし、且つ、装身用布材の外側両端部には面ファスナー受け面が形成されており、一端の内側には面ファスナーが形成されており、補助弾性帯には装身用布材の背面のセンター縫合部にセンター部が縫合されており、両端部内側に面ファスナーを備え、装身用布材の締め付け力を再調整できるように構成されていることを特徴とする装身用サポータを提供する。
【０００７】  超弾性形状記憶合金バーの変形温度を３０〜４０℃に設定してあるのは、装着時に変形した超弾性形状記憶合金バーが装着者の体温によって元の真っ直ぐな状態に戻る力が働くようにしたものである。
【発明の効果】
【０００８】  本発明装身用サポータは、平面形状が略Ｘ字状の生分解型フレキシブル合成樹脂製保持部材及び該生分解型フレキシブル合成樹脂製保持部材の両サイドにＩ字状の生分解型フレキシブル合成樹脂製サイドリブの一方の面に凹部を形成し、該凹部に変形温度が３０〜４０℃の超弾性形状記憶合金バーを嵌挿し、装身用布材に当接される該生分解型フレキシブル合成樹脂製保持部材及び生分解型フレキシブル合成樹脂製サイドリブのフランジ部を装身用布材に高周波融着してなる装身用サポータであり、装着者の腰部の回転、ひねりに対しても緩衝効果があり、不用意に急激な動作をしたときでも、生分解型フレキシブル合成樹脂製保持部材の平面形状が略Ｘ字状及びその両サイドにＩ字状の生分解型フレキシブル合成樹脂製サイドリブが形成されているので、緩衝効果があり、ギックリ腰等の発生の防止にも役立つものであり、更に超弾性形状記憶合金バーの復元力により、腰部の曲げ戻し支持の効果で、背筋及び腹筋の支持、負担の軽減に役立ち、超弾性形状記憶合金バーの適度な反発力のために、筋力や筋力のバランス及び腰椎前彎部等の回復の役にたつ効果がある。
【発明を実施するための最良の形態】
【０００９】  以下、図面に基づき本発明を実施するための最良の形態を詳細に説明する。
図面に於いて、図１は本発明装身用サポータの平面図である。図２は本発明装身用サポータを身体に装着した状態の背面図である。図３は本発明装身用サポータを身体へ装着する手順を示す説明図である。図４は生分解型フレキシブル合成樹脂製保持部材に超弾性形状記憶合金バーを嵌挿した斜視図である。図５は図４のＡ−Ａ線断面図である。
図１乃至図２に示す生分解型フレキシブル合成樹脂製保持部材２、２は平面形状が略Ｘ字状に形成されており、また、生分解型フレキシブル合成樹脂製サイドリブ４、４は該生分解型フレキシブル合成樹脂製保持部材２、２の両サイドに位置し、それぞれフランジ部２１が装身用布材１に高周波融着されており、装身用布材の周縁エッジ部２１が折り返し縫合されている。【００１０】  図４乃至図５に示すように、生分解型フレキシブル合成樹脂製保持部材２には、一方の面に凹部２２が形成されており、該凹部２２には変形温度が３０〜４０℃の超弾性形状記憶合金バー１１が嵌挿されている。また、生分解型フレキシブル合成樹脂製サイドリブ４の凹部（図示せず）にも同様に変形温度が３０〜４０℃の超弾性形状記憶合金バー１１が嵌挿されている。【００１１】  生分解型フレキシブル合成樹脂製保持部材２、２及び生分解型フレキシブル合成樹脂製サイドリブ４、４の凹部２２と該凹部２２に嵌挿される超弾性形状記憶合金バー１１との間には図４乃至図５に示すようにクリアランスがあり、装着者の体温で元の形状に戻ろうとする超弾性形状記憶合金バー１１の復元時の作用が容易に装着者の身体に加わるようになっている。【００１２】  装身用布材１はナイロン及びポリウレタン素材からなる伸縮性繊維のメッシュ生地で構成されており、生分解型フレキシブル合成樹脂製保持部材及び生分解型フレキシブル合成樹脂製サイドリブは、グリコール及びジカルボン酸からなる脂肪酸ポリエステルで構成されており、補助弾性帯８はポリノジック、ナイロン、ポリウレタン、ポリエステル等の各成分の混合物からなるモノフィラメッシュゴムで構成されている。【００１３】  従来の縫製による形状記憶合金バーの取付や形状記憶合金バーを完全に合成樹脂で包み込んでしまう場合と比較すると次のような特徴がある。即ち、布への縫製による包み込みや合成樹脂での完全な包み込みでは温度の伝導性が悪く、形状記憶合金バーの形状変化への対応性も悪く、外観的にも嵩張ってしまうので前記したような不具合を生じているのに対して、本発明による装身用サポータでは人体からの温度の伝導がよく、超弾性形状記憶合金バー１１の形状変化に対しても、超弾性形状記憶合金バー１１と凹部とのクリアランスのためにその形状変化への生分解型フレキシブル合成樹脂製保持部材２、２と生分解型フレキシブル合成樹脂製サイドリブ４、４の追従性が優れている。
【実施例】
【００１４】  本発明装身用サポータを実際に使用した例を図２乃至図３に基づいて説明する。
先ず、図３に示すように装身用布材１を人体９の腰部に巻付け該装身用布材１の一端にある内側面ファスナー部７を他端の面ファスナー受け部６に当接して固定する。この時、特に巻付け力が使用者にとって丁度よい状態であれば、そのまま使用することができるが、装身用布材１の巻付け力を更に強くしたい場合には、両方の手１０、１０でセンター縫合部３に固定された補助弾性帯８、８をそれぞれ面ファスナー受け面６、６から剥ぎ取り、これを更に前方に引っ張ってから再び面ファスナー受け面６、６との当接位置を調整すれば、装身用布材１の巻付け力を調節することができる。【００１５】  このように装身用布材１を人体の腰部に巻き付けた状態の背面は図２に示すように、生分解型フレキシブル合成樹脂製保持部材２、２及び生分解型フレキシブル合成樹脂製サイドリブ４、４が腰部に当接され、超弾性形状記憶合金バー１１の復元力により、腰部の曲げ戻し付勢支持の効果で、背筋及び腹筋の支持、負担の軽減に役立ち、超弾性形状記憶合金バー１１の適度な反発力のために、筋力や筋力のバランス及び腰椎前彎部等の回復の役にたつことが実証された。【００１６】  また、本発明に基づく他の実施例では、装着者の腰部の回転、ひねりに対しても抵抗なく、不用意に急激な動作をしたときでも、生分解型フレキシブル合成樹脂製保持部材２、２及び生分解型フレキシブル合成樹脂製サイドリブ４、４内に収納された超弾性形状記憶合金バー１１の適度な反発力のために、ギックリ腰等の発生の防止にも役立つものであった。
【産業上の利用可能性】
【００１７】  本発明の装身用サポータは、軽量で薄く形成されているので、柔らかな下着の上にそのまま装着が可能であり、装着しているという違和感がなく、装着したままでスポーツや諸作業ができ、本発明の装身用サポータの使用者等の感想は一様に「非常に心地よい」との評価を得ています。腰痛を持つ人は勿論のこと、長時間の自動車運転にも腰痛予防サポーターとしての産業上の利用可能性の高いものが見込まれる。
【図面の簡単な説明】
【００１８】
【図１】本発明装身用サポータの平面図である。
【図２】本発明装身用サポータを身体に装着した状態の背面図である。
【図３】本発明装身用サポータを身体へ装着する手順を示す説明図である。
【図４】生分解型フレキシブル合成樹脂製保持部材に超弾性形状記憶合金バーを嵌挿した斜視図である。
【図５】図４のＡ−Ａ線断面図である。
【符号の説明】
【００１９】  １  装身用布材
２  生分解型フレキシブル合成樹脂製保持部材
２１  フランジ部
２２  凹部
３  センター縫合部
４  生分解型フレキシブル合成樹脂製サイドリブ
５  エッジ部
６  面ファスナー受け面
７  内側面ファスナー部
８  補助弾性帯
８１  内側面ファスナー部
９  人体
１０  手
１１  超弾性形状記憶合金バー
【図１】
2005028089.tif 000003
【図２】
2005028089.tif 000004
【図３】
2005028089.tif 000005
【図４】
2005028089.tif 000006
【図５】
2005028089.tif 000007